(57)【要約】【課題】開封作業を円滑に行えると共に、切屑を発生させることなく開封することができる包装箱を提供する。【解決手段】底板３、前側板４、後側板５、及び天板６により収納物を包み、第１耳片７，８及び第２耳片９，１０の外側に、第１蓋片１１，１２と第２蓋片１３，１４とを接着して封止する。一方の第２蓋片１４に、一対の縦破断線１５，１６からなる破断帯１７と、破断帯１７を除く第２蓋片１４と天板６との境界に沿って横破断線１８，１９とを設ける。第１耳片８と第２耳片１０との夫々に底板５側の角隅から斜め上方に傾斜して各耳片８，１０の先端縁に向って延びる傾斜破断線２２，２５を設ける。両傾斜破断線２２，２５の間において各耳片８，１０と第１蓋片１２とを接着する。【選択図】図１
2004149167.tif 000002
【特許請求の範囲】
【請求項１】
矩形状の底板の前後縁にそれぞれ折目線を介して連設された前側板及び後側板を相互に対向して該底板に対して起立させ、前記後側板の上縁に折目線を介して連設された天板を前記底板の上方に水平に折り曲げ、該天板の先端縁に折目線を介して連設された接着片を折り曲げて前記前側板に重合して接着し、前記前側板の左右縁に折目線を介して連設された一対の第１耳片と、前記後側板の左右縁に折目線を介して連設された一対の第２耳片とを夫々対向する方向に折り曲げ、前記底板の左右縁に折目線を介して連設された一対の第１蓋片を起立方向に折り曲げて前記第１耳片と前記第２耳片とに接着し、前記天板の左右縁に折目線を介して連設された一対の第２蓋片を下方に折り曲げて前記第１耳片と前記第２耳片とに接着してなる包装箱であって、
少なくとも一方の前記第２蓋片に、該第２蓋片の上縁から下縁にわたり前記第１耳片と前記第２耳片との境界に沿って平行に延びる一対の縦破断線からなる所定幅の破断帯と、該破断帯の両縦破断線の間を除く前記第２蓋片と前記天板との間の折目線に沿って横破断線とを設け、
該第２蓋片の下方において前記第１蓋片に重合する前記第１耳片と前記第２耳片との夫々に、前記底板側の角隅から斜め上方に傾斜して各耳片の先端縁に向って延びる傾斜破断線を設け、
少なくとも両傾斜破断線の間において各耳片と前記第１蓋片とを接着することを特徴とする包装箱。
【請求項２】
前記破断帯が設けられた第２蓋片に重合する前記第１耳片と前記第２耳片とに、該第２蓋片の下縁に沿って延びる他の横破断線を設けたことを特徴とする請求項１記載の包装箱。
【請求項３】
前記破断帯が設けられた第２蓋片に重合された前記第１耳片と前記第２耳片との夫々に、前記第１蓋片の上縁に沿って形成された大略長孔状の切込を設け、
各傾斜破断線を、前記底板側の角隅から斜め上方に傾斜して切込の下側内縁にわたって設けたことを特徴とする請求項１又は２記載の包装箱。
【請求項４】
前記破断帯が設けられた第２蓋片に重合された前記第１耳片と前記第２耳片との夫々の先端縁から前記第１蓋片の上縁に沿ってコ字形の切込を設け、
各傾斜破断線を、前記底板側の角隅から斜め上方に傾斜して切込の下側内縁にわたって設けたことを特徴とする請求項１又は２記載の包装箱。
【請求項５】
前記破断帯が一方の第２蓋片にのみ設けられているとき、他方の第２蓋片の少なくとも天板側の端部に、手指を差し込み自在とする差込孔を設けたことを特徴とする請求項１乃至４の何れか１項記載の包装箱。
【発明の詳細な説明】
【０００１】
【発明の属する技術分野】
本発明は、破断線に沿って破断することで開封可能な包装箱に関する。
【０００２】
【従来の技術】
従来、所定枚数のコピー用紙の包装束を数冊重ねて包装する包装箱が知られている。この種の包装箱３０は、図１０に示すように、一側外周に平行する一対の破断線３１，３２により構成された所定幅の破断帯３３（一般にジッパーと言われる）が設けられている。該包装箱３０は、図１１に示すように、破断帯３３を切除することによって開封され、内部に包装されているコピー用紙の包装束Ｗを取り出し可能に露出させることができる。（例えば特許文献１参照）
しかし、この種の包装箱３０においては、開封時に切り離された破断帯３３が切屑となり、開封後の切屑処理が煩わしい不都合がある。また、破断帯３３による破断距離が比較的長いために破断途中で破断帯３３が切れる場合があり、円滑な開封作業が行なえない不都合がある。
【０００３】
【特許文献１】
特開平１０−１５７７３０号公報
【０００４】
【発明が解決しようとする課題】
かかる不都合を解消するために、本発明は、開封作業を円滑に行えると共に、切屑を発生させることなく開封することができる包装箱を提供することを目的とする。
【０００５】
【課題を解決するための手段】
かかる目的を達成するために、本発明は、矩形状の底板の前後縁にそれぞれ折目線を介して連設された前側板及び後側板を相互に対向して該底板に対して起立させ、前記後側板の上縁に折目線を介して連設された天板を前記底板の上方に水平に折り曲げ、該天板の先端縁に折目線を介して連設された接着片を折り曲げて前記前側板に重合して接着し、前記前側板の左右縁に折目線を介して連設された一対の第１耳片と、前記後側板の左右縁に折目線を介して連設された一対の第２耳片とを夫々対向する方向に折り曲げ、前記底板の左右縁に折目線を介して連設された一対の第１蓋片を起立方向に折り曲げて前記第１耳片と前記第２耳片とに接着し、前記天板の左右縁に折目線を介して連設された一対の第２蓋片を下方に折り曲げて前記第１耳片と前記第２耳片とに接着してなる包装箱であって、少なくとも一方の前記第２蓋片に、該第２蓋片の上縁から下縁にわたり前記第１耳片と前記第２耳片との境界に沿って平行に延びる一対の縦破断線からなる所定幅の破断帯と、該破断帯の両縦破断線の間を除く前記第２蓋片と前記天板との間の折目線に沿って横破断線とを設け、該第２蓋片の下方において前記第１蓋片に重合する前記第１耳片と前記第２耳片との夫々に、前記底板側の角隅から斜め上方に傾斜して各耳片の先端縁に向って延びる傾斜破断線を設け、少なくとも両傾斜破断線の間において各耳片と前記第１蓋片とを接着することを特徴とする。
【０００６】
本発明の包装箱を開封するとき、まず、前記破断帯に沿って破断し、第２蓋片を２分割する。このとき、該破断帯は第２蓋片から分離されるが、その上縁は天板に連設された状態にあるので、該破断帯が切屑となることなく開封作業を行なうことができる。次いで、第２蓋片の下方に位置する第１蓋片を破断帯が除かれた部分の上縁を手掛かりとして手前に引き倒す。これによって、前記第１耳片と前記第２耳片との夫々に設けられた傾斜破断線が破断され、前記第１耳片及び前記第２耳片は、第１蓋片への接着状態が解除される。
【０００７】
続いて、破断帯によって切り開かれた位置の第２蓋片の両破断端縁を手掛かりとして第２蓋片を手前に開く。このとき、第２蓋片と天板との境界の破断線が破断され、第２蓋片と共に前記第１耳片と前記第２耳片とが互いに離反する方向に拡開され、収納物が取り出し可能に開封される。このように、本発明によれば、開封作業が容易であるだけでなく、切屑が生じることなく開封作業を行なうことができる。
【０００８】
また、本発明においては、前記破断帯が設けられた第２蓋片に重合する前記第１耳片と前記第２耳片とに、該第２蓋片の下縁に沿って延びる他の横破断線を設けることが好ましい。これによれば、前記第１蓋片の封止状態を維持して第２蓋片の位置する上半部のみを開封することができる。即ち、前記切断帯を破断して２分割された第２蓋片を手前に開く。これにより、第２蓋片の下縁に沿って延びる第１耳片及び第２耳片の他の横破断線に沿って破断され、上半部のみが開放される。これにより、収納物を小さな単位で取り出して残りの収納物を保管するすることができるので、包装箱の使い勝手を向上させることができる。
【０００９】
また、本発明においては、前記破断帯が設けられた第２蓋片に重合された前記第１耳片と前記第２耳片とに、前記第１蓋片の上縁に沿って形成された大略長孔状の切込、又は、前記第１耳片と前記第２耳片との夫々の先端縁から前記第１蓋片の上縁に沿ったコ字形の切込を設け、各傾斜破断線を、前記底板側の角隅から斜め上方に傾斜して前記切込の下側内縁にわたって設けることが好ましい。第１耳片と第２耳片とに前記切込を設けることにより、第１蓋片の上縁に沿って切込による窪みが形成され、第１蓋片を手前に引き倒すときに、第１蓋片の上縁への手掛かりを容易として開封作業を円滑に行なうことができる。
【００１０】
また、本発明においては、前記破断帯が一方の第２蓋片にのみ設けられているとき、他方の第２蓋片の少なくとも天板側の端部に、手指を差し込み自在とする差込孔を設けることが好ましい。例えば、収納物がコピー用紙の包装束であり複数の包装束が包装箱内部に固く包装されているとき、一方の第２蓋片側を開放しても取り出しにくい場合がある。このような場合に、他方の第２蓋片側から差込孔を介して手指を差し込むことにより、開放側から包装束を押し出すことができ、収納物の取り出しを円滑に行なうことができる。
【００１１】
【発明の実施の形態】
先ず、本発明の包装箱の第１の実施形態について図面１乃至図４を参照しながら説明する。図１は包装箱の斜視図、図２は包装箱の展開図、図３は包装箱の開封工程の一例を示す説明図、図４は図３に続く工程を示す説明図である。
【００１２】
本実施形態の包装箱１は、図１に示すように略直方体形状に形成されており、図示しない収納物を収納した状態で密封されている。包装箱１は、図２に示すような１枚の段ボール板紙２から組み立てられる。段ボール板紙２は、底板３と、底板３の前縁に折目線ａを介して連設された前側板４と、底板３の後縁に折目線ｂを介して連設された後側板５と、後側板５の後縁に折目線ｃを介して連設された天板６と、天板６の後縁に折目線ｄを介して連設された接着片６ａとを備えている。
【００１３】
前側板４の左右縁には折目線ｅ，ｆを介して第１耳片７、８が連設され、後側板５の左右縁には折目線ｇ，ｈを介して第２耳片９、１０が連設されている。底板３の左右縁には折目線ｉ，ｊを介して第１蓋片１１，１２が連設されており、天板６の左右縁には折目線ｋ，ｍを介して第２蓋片１３，１４が連設されている。
【００１４】
一方の第２蓋片１４の中央部には、天板６側の端縁から先端縁にわたって平行に延びる一対の縦破断線１５，１６が形成されている。両縦破断線１５，１６は所定幅の破断帯１７を構成している。破断帯１７を除く天板６と一方の第２蓋片１４との境界には、折目線ｍに沿って横破断線１８，１９が形成されている。
【００１５】
一方の第１耳片８には長孔状の切込２０が形成されていると共に、切込２０と前側板４との間に延びる横破断線２１が形成されている。更に、該第１耳片８には、前側板４側の角隅から切込２０の内側縁に向って傾斜して延びる傾斜破断線２２が形成されている。一方の第２耳片１０には長孔状の切込２３が形成されており、切込２３と後側板５との間に延びる横破断線２４が形成されている。更に、該第１耳片１０には、後側板５側の角隅から切込２３の内側縁に向って傾斜して延びる傾斜破断線２５が形成されている。
【００１６】
また、他方の第２蓋片１３の中央部には、手指を差し込み自在とする差込孔２６が形成されている。該差込孔２６は、第２蓋片１３から天板６にわたる複数の切込線２７を備え、手指を差し込む際に拡開可能とされている。
【００１７】
次に、本実施形態の包装箱１の組み立て工程を図２及び図１を参照して簡単に説明する。該包装箱１の組み立て作業は、図示しない組立装置によって行なわれる。まず、図２に示した段ボール板紙２において、コピー用紙の包装束（収納物）Ｗを底板３の上に数冊重ねて載置し、前後側板４，５を底板３に対して垂直に起立させる。次いで、天板７を底板３の上方に水平に折り曲げ、接着片６ａを前側板４に重合して接着する。そして、各耳片７，８，９，１０をそれぞれ前後側板４，５に対して直角に対向させて折り曲げる。続いて、第１蓋片１１，１２を第１耳片７，８及び第２耳片９，１０の夫々の略下半部に接着する。このとき、一方の第１蓋片１２については、少なくとも第１耳片８の傾斜破断線２２と第２耳片１０の傾斜破断線２５との間に接着剤２８を塗布して接着する（図１参照）。また、第２蓋片１３，１４を第１耳片７，８及び第２耳片９，１０の夫々の略上半部に接着する。このとき、一方の第２蓋片１４については、破断帯１７以外の部位に接着剤２９を塗布して接着する（図１参照）。以上により図１に示した包装箱１が組み立てられ、その内部にはコピー用紙の包装束Ｗが固く密封包装される。
【００１８】
次に、包装箱１の開封及び包装束Ｗの取り出し作業の一例について図３及び図４を参照しながら説明する。まず、図３（ａ）に示すように破断帯１７の下端を摘んで上方に引っ張ることにより破断帯１７に沿って一方の第２蓋片１４を破断する。このとき、破断帯１７は、切り離されることなく天板６に連設された状態で残余する。これにより、破断帯１７を切屑とすることなく開封作業を続行することができる。
【００１９】
次いで、図３（ｂ）に示すように破断帯１７によって切り開かれた位置から第２蓋片１４を手前に拡げる力を加えると、該第２蓋片１４と天板６との境界の横破断線１８，１９が破断され、同時に、第１耳片８の中央部に形成されている破断線２１と第２耳片１０の中央部に形成されている破断線２４とが破断され、該第２蓋片１４の位置が開放される。これにより、包装箱１は半開状態とされ、コピー用紙の複数の包装束Ｗのうち、上半部に位置するものが取り出し自在とされる。
【００２０】
そして、包装束Ｗを取り出すときには、図３（ｂ）に示すように、他方の第２蓋片１３に形成された差込孔２６を指が差し込み可能となる大きさに複数の切込線２７を介して切り開き、該差込孔２６から指を差し込んで最上位置の包装束Ｗの後端を押し込む。こうすることで、最上位置の包装束Ｗが半開状態に開封されたところから押し出され、箱１内部から取り出し容易となる。
【００２１】
その後、上半部に位置する包装束Ｗが取り出され、下半部に位置する包装束Ｗを取り出すときには、第２蓋片１４が拡開されて露出された第１蓋片１２の上縁の中央部に手を掛け、手前に引き倒す。このとき、前記切込２０，２３が第１耳片８と第２耳片１０と形成されているので第１蓋片１２の上縁への手掛かりとなって作業が容易となる。これにより、図４（ａ）に示すように、第１耳片８の傾斜破断線２２と第２耳片１０の傾斜破断線２５とが破断されて第１蓋片１２と共に引き倒され、図４（ｂ）に示すように、下半部に位置する包装束Ｗが取り出し自在に露出される。
【００２２】
このように、本実施形態の包装箱１によれば、包装箱１が開封された状態であっても、前記破断帯１７は前記天板６に繋がった状態が維持されるので、包装箱１から分離した切屑の発生が全く無い。
【００２３】
次に、本発明の包装箱の第２の実施形態について図面５乃至図９を参照しながら説明する。図５は包装箱の斜視図、図６は包装箱の展開図、図７は包装箱の開封工程の一例を示す説明図、図８は図７に続く工程を示す説明図、図９は包装箱の開封工程の他の例を示す説明図である。
【００２４】
なお、第１の実施形態と第２の実施形態とは、前記切欠２０，２３の形状と位置とが多少異なっているだけで、基本とする構成、外観及びその組立方法は同じものである。よって以下の説明では、第１の実施形態と異なる第２の実施形態の特徴のみを説明する。
【００２５】
第２の実施形態の包装箱１においては、図５及び図６に示すように、一方の第１耳片８の先端中央部にコ字形の切込２０が形成されている。切込２０と前側板４との間には、横破断線２１が形成されている。更に、該第１耳片８には、前側板４側の角隅から切込２０の内側縁に向って傾斜して延びる傾斜破断線２２が形成されている。一方の第２耳片１０の先端中央部にはコ字形の切込２３が形成されている。切込２３と後側板５との間には、横破断線２４が形成されている。更に、該第１耳片１０には、後側板５側の角隅から切込２３の内側縁に向って傾斜して延びる傾斜破断線２５が形成されている。
【００２６】
このように、切込２０，２３を設けることによって、包装箱１の開封作業は次のようにして進められる。まず、図７（ａ）に示すように破断帯１７の下端を摘んで上方に引っ張ることにより破断帯１７に沿って一方の第２蓋片１４を破断する。このとき、破断帯１７は、切り離されることなく天板６に連設された状態で残余する。これにより、破断帯１７を切屑とすることなく開封作業を続行することができる。
【００２７】
次いで、図７（ｂ）に示すように破断帯１７によって切り開かれた位置から第２蓋片１４を手前に拡げる力を加えると、該第２蓋片１４と天板６との境界の横破断線１８，１９が破断され、同時に、第１耳片８の中央部に形成されている破断線２１と第２耳片１０の中央部に形成されている破断線２４とが破断され、該第２蓋片１４の位置が開放される。これにより、包装箱１は半開状態とされ、コピー用紙の複数の包装束Ｗのうち、上半部に位置するものが取り出し自在とされる。
【００２８】
そして、包装束Ｗを取り出すときには、図７（ｂ）に示すように、他方の第２蓋片１３に形成された差込孔２６を指が差し込み可能となる大きさに複数の切込線２７を介して切り開き、該差込孔２６から指を差し込んで最上位置の包装束Ｗの後端を押し込む。こうすることで、最上位置の包装束Ｗが半開状態に開封されたところから押し出され、箱１内部から取り出し容易となる。
【００２９】
その後、上半部に位置する包装束Ｗが取り出され、下半部に位置する包装束Ｗを取り出すときには、第２蓋片１４が拡開されて露出された第１蓋片１２の上縁の中央部に手を掛け、手前に引き倒す。このとき、前記切込２０，２３が第１耳片８と第２耳片１０と形成されているので第１蓋片１２の上縁への手掛かりとなって作業が容易となる。これにより、図８（ａ）に示すように、第１耳片８の傾斜破断線２２と第２耳片１０の傾斜破断線２５とが破断されて第１蓋片１２と共に引き倒され、図８（ｂ）に示すように、下半部に位置する包装束Ｗが取り出し自在に露出される。
【００３０】
また、第２の実施形態の包装箱１においては、次にようにしても、開封及び包装束Ｗの取り出しが行なえる。この作業について図９を参照しながら説明する。先ず、前述したように、破断帯１７に沿って一方の第２蓋片１４を破断する。次いで、破断帯１７が破断されたことによって上方が開放された第１蓋片１２の上縁に手を掛け、手前に引き倒す。これにより、図９（ａ）に示すように、第１耳片８の傾斜破断線２２と第２耳片１０の傾斜破断線２５とが破断されて第１蓋片１２と共に引き倒される。続いて、破断帯１７によって切り開かれた位置から第２蓋片１４を手前に拡げる。これにより、図９（ｂ）に示すように、該第２蓋片１４と天板６との境界の横破断線１８，１９が破断され、包装箱１は全開状態とされて、全ての包装束Ｗが取り出し自在とされる。
【００３１】
このように、第２の実施形態の包装箱１によれば、取り出し数量に応じて半開状態に開封するか全開状態に開封するかを選択することができる。また、包装箱１が開封された状態であっても、前記破断帯１７は前記天板６に繋がった状態が維持されるので、包装箱１から分離した切屑の発生が全く無い。
【００３２】
なお、前述した各実施形態においては、一方の第２蓋片１４にのみ前記破断帯１７を設け、他方の第２蓋片１３に前記差込孔２６を設けたものを示したが、それ以外に、図示しないが、第２蓋片１３，１４の両方に前記破断帯１７を設けて、何れの側からであっても開封できるように構成してもよい。これによれば、包装箱１の一方側を開封して包装束Ｗ等の収納物を取り出した後、他方側を開封して両側から開封した形とした上でコンパクトに押しつぶすことができ、廃棄処理が容易となる。
【図面の簡単な説明】
【図１】本発明の第１の実施形態の包装箱の斜視図。
【図２】第１の実施形態の包装箱の展開図。
【図３】第１の実施形態の包装箱の開封工程の一例を示す説明図。
【図４】図３に続く工程を示す説明図。
【図５】本発明の第２の実施形態の包装箱の斜視図。
【図６】第２の実施形態の包装箱の展開図。
【図７】第２の実施形態の包装箱の開封工程の一例を示す説明図。
【図８】図７に続く工程を示す説明図。
【図９】第２の実施形態の包装箱の開封工程の他の例を示す説明図。
【図１０】従来の包装箱の未開封状態の斜視図。
【図１１】従来の包装箱の開封状態の斜視図。
【符号の説明】
１…包装箱、３…底板、４…前側板、５…後側板、６…天板、６ａ…接着片、７，８…第１耳片、９，１０…第２耳片、１１，１２…第１蓋片、１３，１４…第２蓋片、１５，１６…縦破断線、１７…破断帯、１８，１９…横破断線、２０，２３…切込、２１，２４…他の横破断線、２２，２５…傾斜破断線、２６…差込孔。
【図１】
2004149167.tif 000003
【図２】
2004149167.tif 000004
【図３】
2004149167.tif 000005
【図４】
2004149167.tif 000006
【図５】
2004149167.tif 000007
【図６】
2004149167.tif 000008
【図７】
2004149167.tif 000009
【図８】
2004149167.tif 000010
【図９】
2004149167.tif 000011
【図１０】
2004149167.tif 000012
【図１１】
2004149167.tif 000013